(57)【要約】【課題】ブルートゥースモジュールを使用して、遅延が許されない制御信号を、伝送遅延を生じさせることなく伝送する。【解決手段】送信側ブルートゥースモジュール１０１のＲＦ信号用ＩＣ１０３は、パワーコントロールライン１０５からの制御電圧により決められる送信電力で、２．４ＧＨｚの搬送波をアンテナ１０４から送信し、この搬送波にベースバンド信号用ＩＣ１０２からのパケットデータを載せて送信を行っている。本発明は、１００ＫＨｚの制御信号をパワーコントロールライン１０５に重畳する。この結果、ＲＦ信号用ＩＣ１０３からの２．４ＧＨｚの搬送波は、制御信号の１００ＫＨｚによりＡＭ変調されて受信側に送信される。受信側ブルートゥースモジュールは、このＡＭ変調された搬送波を単に検波し、１００ＫＨｚの制御信号を再生検出することができる。【選択図】      図１
2004222164.tif 000002
【特許請求の範囲】
【請求項１】
送信側及び受信側のそれぞれに設けられた通信ネットワークモジュールを使用し、受信側の機器を制御可能に制御信号を送信する制御信号の伝送方法において、送信側の通信ネットワークモジュールが送信する搬送波の送信電力を制御するパワーコントロールラインに、交流による制御信号を重畳し、これにより、前記送信側の通信ネットワークモジュールが送信する搬送波を前記交流による制御信号により変調して送信することを特徴とする制御信号の伝送方法。
【請求項２】
受信側の通信ネットワークモジュールにおけるＲＦアンプの出力信号を検波することにより、前記交流による制御信号を検出することを特徴とする請求項１記載の制御信号の伝送方法。
【請求項３】
受信側の通信ネットワークモジュールにおけるＩＦアンプ部に通常備えられているＲＳＳＩ端子から前記交流の制御信号を検出することを特徴とする請求項１記載の制御信号の伝送方法。
【発明の詳細な説明】
【０００１】
【発明の属する技術分野】
本発明は、制御信号の伝送方法に係り、特に、ブルートゥースモジュール等の通信ネットワークモジュールを使用して、自間遅れなく受信側の機器を制御可能に制御信号を送信すること可能にした制御信号の伝送方法に関する。
【０００２】
【従来の技術】
ブルートゥースモジュールを使用するデータの伝送に関する技術は、従来から種々知られている。ブルートゥースによるデータ伝送は、伝送すべきデータをパケット化し、２．４ＧＨｚの搬送波をＦＳＫ変調して行うのが一般的である。そして、このブルートゥースによるデータ伝送は、伝送データの遅延時間として、数ｍｓｅｃから数十ｍｓｅｃを要するものである。このため、従来、ブルートゥースによるデータ伝送は、この程度の伝送データの遅延時間が生じても問題のない用途に使用されていた。
【０００３】
なお、ブルートゥースモジュールに関する従来技術として、例えば、非特許文献１等に記載された技術が知られている。
【０００４】
【非特許文献１】宮津  和弘著「Ｂｌｕｅｔｏｏｔｈガイドブック」（日刊工業新聞社  ２０００年９月２０日発行、第６８頁〜第７８頁）
【０００５】
【発明が解決しようとする課題】
近年、ブルートゥースモジュールを使用するデータ通信の利用範囲が広がり、データの遅延が許されない用途にも使用したいという要求が高まっている。例えば、お互いに離れた位置に設置したカメラとストロボとのそれぞれにブルトゥースモジュールを設け、カメラ側からストロボの光量、照射角等の設定情報を送信して、ストロボの発光条件を設定した後、シャッター信号をストロボの発光制御信号として送信してストロボを発光させるという状況を考える。
【０００６】
この場合、ストロボの光量、照射角等の設定情報を送信して、ストロボの発光条件を設定する場合のデータの伝送は、前述したブルトゥースモジュール本来のデータ伝送によって行い、これによるデータの伝送遅延があっても問題とはならない。しかし、シャッター信号をストロボの発光用の制御信号として送信してストロボを発光させる場合、前述した伝送数ｍｓｅｃから数十ｍｓｅｃの伝送遅延は、シャッターの開く時間とストロボが発光する時間とにずれを生じさせるため大きな問題となる。
【０００７】
前述したように、ブルートゥースモジュールを使用するデータ伝送は、データの遅延が許されない制御信号の伝送等の用途に使用することができないという問題点を有している。
【０００８】
本発明の目的は、前述したブルトゥースモジュール本来のデータ伝送の問題点を解決し、ブルートゥースモジュール等の通信ネットワークモジュールを使用して伝送遅延を生じさせることなく遅延が許されない制御信号を伝送することを可能にした制御信号の伝送方法を提供することにある。
【０００９】
【課題を解決するための手段】
本発明によれば前記目的は、送信側及び受信側のそれぞれに設けられた通信ネットワークモジュールを使用し、受信側の機器を制御可能に制御信号を送信する制御信号の伝送方法において、送信側の通信ネットワークモジュールが送信する搬送波の送信電力を制御するパワーコントロールラインに、交流による制御信号を重畳し、これにより、前記送信側の通信ネットワークモジュールが送信する搬送波を前記交流による制御信号により変調して送信することにより達成される。
【００１０】
また、前記目的は、受信側の通信ネットワークモジュールにおけるＲＦアンプの出力信号を検波することにより前記交流の制御信号を検出し、あるいは、ＩＦアンプ部に通常備えられているＲＳＳＩ端子から前記交流の制御信号を検出することにより達成される。
【００１１】
前述した手段を備える本発明によれば、通信ネットワークモジュールを使用し、伝送遅延を生じさせることなく遅延が許されない制御信号を伝送することができる。
【００１２】
【発明の実施の形態】
以下、本発明による制御信号の伝送方法の実施形態を図面により詳細に説明する。
【００１３】
図１は本発明の一実施形態による制御信号の伝送方法を説明する送信側ブルートゥースモジュールの構成を示すブロック図、図２は受信側ブルートゥースモジュールの構成を示すブロック図である。図１、図２において、１０１、２０１はブルートゥースモジュール、１０２、２０２はベースバンド信号用ＩＣ、１０３、２０３はＲＦ信号用ＩＣ、１０４、２０４はアンテナ、１０５はパワーコントロールライン、１０６は制御信号源、１０７はスイッチ、１０８はデータ転送ライン、２０５はＲＦアンプ、２０６はコンバータ、２０７はＩＦアンプ、２０８はブルートゥース復調部、２０９はダイオード、２１０はコンデンサである。
【００１４】
本発明の一実施形態による制御信号の伝送を行う送信側ブルートゥースモジュール１０１は、図１に示すように、ベースバンド信号用ＩＣ１０２と、ＲＦ信号用ＩＣ１０３とが、データ転送ライン１０８及びＲＦ信号用ＩＣ１０３からアンテナ１０４を介して送信される電波の送信電力を制御するパワーコントロールライン１０５により接続されて構成されている。パワーコントロールライン１０５は、ブルートゥースの規格に従って送信する電波の送信電力を制御する制御電圧をＲＦ信号用ＩＣ１０３のＰｏＣＴＬ端子に与えている。そして、一旦、送信電力の設定が行われると、ＲＦ信号用ＩＣ１０３に与える制御電圧は、固定された状態となる。
【００１５】
前述した送信側ブルートゥースモジュール１０１の構成は、従来から知られている構成のものであり、本発明は、図１に示すように、パワーコントロールライン１０５にスイッチ１０７を介して、例えば、１００ＫＨｚの制御信号源１０６を接続し、制御信号源１０６からの交流による制御信号を伝送遅延が許されない制御信号として利用するものである。
【００１６】
すなわち、送信側ブルートゥースモジュール１０１のＲＦ信号用ＩＣ１０３は、通常、前述したパワーコントロールライン１０５からの制御電圧により決められる送信電力で、２．４ＧＨｚの搬送波をアンテナ１０４から送信し、この搬送波にベースバンド信号用ＩＣ１０２からのパケットデータを載せて送信を行っている。本発明の実施形態は、前述したように、１００ＫＨｚの制御信号をパワーコントロールライン１０５に重畳することとしている。この制御信号源１０６からの制御信号は、スイッチ１０７により所定の時間だけパワーコントロールライン１０５に重畳される。
【００１７】
この結果、送信側ブルートゥースモジュール１０１のＲＦ信号用ＩＣ１０３からの２．４ＧＨｚの搬送波は、スイッチ１０７がオンになってパワーコントロールライン１０５に制御信号源１０６からの制御信号が印加されている間、制御信号の１００ＫＨｚによりＡＭ変調されて受信側に送信されることになる。受信側ブルートゥースモジュールは、このＡＭ変調された搬送波を単に検波することにより、スイッチ１０７がオンとされている間に印加された１００ＫＨｚの信号を再生検出することができ、これを受信側での制御信号として使用することができる。
【００１８】
前述したような方法による制御信号の送信は、単に、搬送波を１００ＫＨｚの制御信号によりＡＭ変調するだけで、ブルートゥース規格に基づく信号の処理を行う必要がないので、時間遅れなく行うことができる。
【００１９】
受信側ブルートゥースモジュール２０１は、図２に示すように、ベースバンド信号用ＩＣ２０２と、ＲＦ信号用ＩＣ２０３とにより構成されているが、このブルートゥースモジュール２０１も、図１の場合と同様に、従来から知られている構成のものであり、図２には、ＲＦ信号用ＩＣ２０３の受信に関連する内部構成をも示している。すなわち、ＲＦ信号用ＩＣ２０３は、アンテナ２０４からの受信高周波信号を増幅するＲＦアンプ２０５と、増幅後の高周波信号を中間周波信号に変換するコンバータ２０６と、中間周波信号を増幅するＩＦアンプ２０７と、ブルートゥース信号を復調してベースバンド信号用ＩＣ２０２に渡すＢＴ復調部２０８とにより構成されている。
【００２０】
そして、本発明の実施形態は、図１により説明した１００ＫＨｚの制御信号を受信検出するために、ＲＦアンプ２０５とコンバータ２０６との接続点にダイオード２０９とコンデンサ２１０とによる検波回路を接続している。この結果、検波回路の制御信号出力端子からは、図１により説明したように、送信側から１００ＫＨｚの制御信号で２．４ＧＨｚの搬送波をＡＭ変調した信号が送られてきたとき、１００ＫＨｚの信号を得ることができる。受信側の機器は、この信号を制御信号として使用することができる。
【００２１】
前述した受信側の構成例は、ＲＦアンプ２０５とコンバータ２０６との間に検波回路を接続して、１００ＫＨｚの制御信号を受信検出するものであったが、本発明は、ＩＦアンプ２０７に通常備えられているＲＳＳＩ（ラジオ・シグナル・ストレングス・インジケータ）端子からの出力信号をそのまま、受信した制御信号として使用するようにすることもできる。
【００２２】
よく知られているように、ブルートゥースモジュールのＩＦアンプ部には、アンテナからの入力信号の大きさを示すインジケータ信号を出力するＲＳＳＩ端子が備えられている。この端子からは、通常、搬送波である２．４ＧＨｚのレベルを示す直流電圧が出力されているが、送信側から１００ＫＨｚの制御信号で２．４ＧＨｚの搬送波をＡＭ変調した信号が送られてきたときには、通常の直流電圧に１００ＫＨｚの信号が重畳された信号が出力されてくるので、この出力信号を受信側機器での制御信号として利用することができる。
【００２３】
制御信号としての１００ＫＨｚの信号は、１００ＫＨｚに限定されるものではなく、適宜定めればよい。しかし、この周波数は、信号の検出時に、数サイクルの期間で制御信号であることを検出して、受信側機器の制御を行うようにするため、この数サイクルの検出時間の遅れが、制御信号として致命的な遅れとならないような比較的高い周波数にしておくことが望ましい。
【００２４】
また、前述した本発明の実施形態は、受信側で複数の機器の制御を行う場合、制御信号として、複数の周波数の信号を混合した信号を使用しても、あるいは、それらを選択的に使用してもよい。
【００２５】
なお、前述した本発明の実施形態は、ブルトゥースの規格の範囲外のものであるため、特定小電力機器としての承認を受ける必要がある。また、前述した本発明の実施形態は、本発明をブルトゥースモジュールに適用したものとして説明したが、本発明は、無線ＬＡＮモジュール他の通信ネットワークモジュールに対しても適用することができる。
【００２６】
図３は前述した本発明の実施形態による制御信号の伝送方法の使用例を説明する図、図４は図３に示す使用例でのカメラ側シャッター動作とストロボ発光動作との関係を説明する図である。図３において、３０１はカメラ、３０２は外部ストロボ、３０３は被写体である。
【００２７】
図３に示す使用例は、お互いに離れた位置に設置したカメラ３０１と外部ストロボ３０２とのそれぞれにブルトゥースモジュールを設け、カメラ側からストロボの光量、照射角等の設定情報を送信して、ストロボの発光条件を設定した後、シャッター信号をストロボの発光制御信号として送信してストロボを発光させ、被写体３０３をカメラ３０１により撮影するというものである。
【００２８】
前述の使用例では、カメラ３０１に図１により説明したブルトゥースモジュールが設けられ、外部ストロボ３０２に図２により説明したブルトゥースモジュールが設けられる。そして、カメラ３０１は、撮影前に、ストロボの光量、照射角等の設定情報をブルトゥース規格に基づいて外部ストロボ３０２に送信する。外部ストロボ３０２は、受信した設定情報に基づいて、ストロボの発光条件の設定を行い、設定の完了及び発光のための充電の完了をブルトゥース規格に基づいてカメラ３０１に送信する。
【００２９】
その後、カメラ３０１は、シャッターが押されたことを示す信号を、図１により説明した制御信号の伝送方法に従って送信する。この制御信号は、すでに説明したように、受信間遅れなく受信側の外部ストロボ３０２で受信される。外部ストロボ３０２は、この制御信号の受信により、カメラ３０１でシャッターが押されたとほとんど同時にストロボを発光させることができる。
【００３０】
前述した使用例によるカメラ３１のシャッター動作とストロボ３２の発光動作との関係を図４（ａ）に示しているが、この図から判るように、図３に示す使用例によれば、カメラ３１のシャッター動作（シャッター開）とストロボ３２の発光とを同期させることができる。参考のため、図４（ｂ）に、シャッター動作の信号をブルートゥースの規格に従って送信した場合のカメラ３１のシャッター動作とストロボ３２の発光動作との関係を示している。この場合、カメラ３１のシャッター動作からストロボ３２の発光動作までに、信号の伝送遅延によるタイムラグが生じ、カメラ３１が、ストロボ３２の発光光量を充分に使用できないようなことが生じることになる。
【００３１】
前述では本発明の実施形態による制御信号の伝送方法の使用例として、お互いに離れた位置に設置したカメラから外部ストロボにシャッター信号をストロボの発光制御信号として送信してストロボを発光させる例を挙げて制御したが、本発明は、このような使用例に限らず、自動車等の車載機器の制御、例えば、パニックブレーキ信号によるブレーキ制御等に使用することができる。
【００３２】
【発明の効果】
以上説明したように本発明によれば、ブルートゥースモジュールを使用して、遅延が許されない制御信号を、伝送遅延を生じさせることなく伝送することができる。
【図面の簡単な説明】
【図１】本発明の一実施形態による制御信号の伝送方法を説明する送信側ブルートゥースモジュールの構成を示すブロック図である。
【図２】受信側ブルートゥースモジュールの構成を示すブロック図である。
【図３】前述した本発明の実施形態による制御信号の伝送方法の使用例を説明する図である。
【図４】図３に示す使用例でのカメラ側シャッター動作とストロボ発光動作との関係を説明する図である。
【符号の説明】
１０１、２０１  ブルートゥースモジュール
１０２、２０２  ベースバンド信号用ＩＣ
１０３、２０３  ＲＦ信号用ＩＣ
１０４、２０４  アンテナ
１０５  パワーコントロールライン
１０６  制御信号源
２０５  ＲＦアンプ
２０６  コンバータ
２０７  ＩＦアンプ
２０８  ブルートゥース復調部
２０９  ダイオード
２１０  コンデンサ
３０１  カメラ
３０２  外部ストロボ
３０３  被写体
【図１】
2004222164.tif 000003
【図２】
2004222164.tif 000004
【図３】
2004222164.tif 000005
【図４】
2004222164.tif 000006